(57)【要約】【課題】  定常的に二次電池への過充電を防止することが可能な充電制御装置を提供する。【解決手段】  二次電池３００へ電力を供給する外部電源２００を検出する外部電源検出部１０１と、二次電池３００の電圧を検出する二次電池電圧検出部１０２と、外部電源検出部１０１によって外部電源２００が検出され、かつ、外部電源２００が検出された場合に用いられる所定の充電判定電圧よりも二次電池３００の電圧が高い場合、外部電源２００から二次電池３００への充電を禁止する充電制御部１０３とを有する構成とすることで、定常的に二次電池への過充電を防止することができ、電池寿命を延ばすことができる。【選択図】図１
2008167543.tif 000002
【特許請求の範囲】
【請求項１】
二次電池へ電力を供給する外部電源を検出する外部電源検出部と、
前記二次電池の電圧を検出する二次電池電圧検出部と、
前記外部電源検出部によって外部電源が検出され、かつ、前記外部電源が検出された場合に用いられる所定の充電判定電圧よりも前記二次電池の電圧が高い場合、前記外部電源から前記二次電池への充電を禁止する充電制御部と
を有する充電制御装置。
【請求項２】
請求項１に記載の充電制御装置であって、
前記充電制御部は、前記外部電源検出部によって外部電源が検出された場合、提示部に前記外部電源が検出された旨を提示させる充電制御装置。
【請求項３】
請求項１に記載の充電制御装置であって、
前記充電制御部は、前記外部電源検出部によって外部電源が検出されてから所定時間が経過した場合、または、前記二次電池の電圧が前記充電判定電圧よりも低い所定の充電再起動電圧よりも低い場合の少なくとも一方が満たされた場合、前記外部電源から前記二次電池への充電を行う充電制御装置。
【請求項４】
請求項１に記載の充電制御装置であって、
前記二次電池への充電を完了するための充電完了電圧を設定する充電完了電圧設定部を有し、
前記充電制御部は、前記二次電池への充電を前記充電完了電圧になるまで行う充電制御装置。
【請求項５】
請求項１ないし４のいずれか１項に記載の充電制御装置であって、
前記充電制御部がいずれの制御を実施するかを示す制御モードを指定する制御モード指定部を有し、
前記充電制御部は、前記制御モードに基づいて制御を行う充電制御装置。
【請求項６】
請求項１ないし５のいずれか１項に記載の充電制御装置を有する携帯端末装置。
【請求項７】
二次電池への充電を制御する充電制御装置において、
前記二次電池へ電力を供給する外部電源を検出する外部電源検出ステップと、
前記二次電池の電圧を検出するステップと、
前記外部電源検出ステップにおいて外部電源が検出され、かつ、前記二次電池の電圧が所定の充電判定電圧よりも高い場合、前記外部電源から前記二次電池への充電を禁止する制御するステップと
を有する充電制御方法。
【発明の詳細な説明】
【技術分野】
【０００１】
本発明は二次電池への充電を制御する充電制御装置、携帯端末装置、および充電制御方法に関する。
【背景技術】
【０００２】
二次電池への充電においては、一般に充電器に電池がセットされると充電を開始し、満充電となった状態で充電を終了する。図６は従来の充電システムの概要図である。従来の充電システムは、外部電源６０１、充電ＦＥＴ（Ｆｉｅｌｄ  Ｅｆｆｅｃｔ  Ｔｒａｎｓｉｓｔｏｒ）６０２、抵抗６０３、二次電池６０４、および充電制御部６０５を備えるものである。この充電システムにおいては、外部電源６０１が印加されたとき、また、二次電池６０４の電圧が所定の閾値を下回ったときに必ず二次電池６０４への充電を開始するように充電制御部６０５が制御を行っている。
【０００３】
また、充電器に二次電池がセットされても、すぐに充電を開始しないようにするために、二次電池の温度をサーミスタとＡ／Ｄ変換器および電池温度計算部を介して検出するとともに、二次電池の急速充電終了後の経過時間を計測するタイマを儲け、充電装置に二次電池がセットされたとき検出された電池温度が所定値以上で、かつタイマにより計測された経過時間が所定値未満の場合には急速充電を禁止する充電制御部を有する二次電池の充電装置が知られている（例えば、特許文献１参照）。
【特許文献１】特開２００４−１０２３３９号公報
【発明の開示】
【発明が解決しようとする課題】
【０００４】
しかしながら、特許文献１に記載された二次電池の充電装置は、温度検出により温度異常時についてのみ過充電を防ごうとするものであるため、二次電池の温度が正常値である場合には定常的に過充電を防止することができないものである。
【０００５】
本発明はかかる事情に鑑みてなされたものであり、定常的に二次電池への過充電を防止することのできる充電制御装置、携帯端末装置、および充電制御方法を提供することを目的とする。
【課題を解決するための手段】
【０００６】
上記目的を達成するために、本発明の第１の充電制御装置は、二次電池へ電力を供給する外部電源を検出する外部電源検出部と、前記二次電池の電圧を検出する二次電池電圧検出部と、前記外部電源検出部によって外部電源が検出され、かつ、前記外部電源が検出された場合に用いられる所定の充電判定電圧よりも前記二次電池の電圧が高い場合、前記外部電源から前記二次電池への充電を禁止する充電制御部とを有する構成としている。
【０００７】
この構成によれば、定常的に二次電池への過充電を防止することができ、電池寿命を延ばすことができる。
【０００８】
また、本発明の第２の充電制御装置は、前記充電制御部が、前記外部電源検出部によって外部電源が検出された場合、提示部に前記外部電源が検出された旨を提示させる構成としている。
【０００９】
この構成により、例えば外部電源が接続されたにもかかわらず実際には充電を行わない場合であっても、外部電源が接続されたことをユーザに知らせることが可能である。
【００１０】
また、本発明の第３の充電制御装置は、前記充電制御部が、前記外部電源検出部によって外部電源が検出されてから所定時間が経過した場合、または、前記二次電池の電圧が前記充電判定電圧よりも低い所定の充電再起動電圧よりも低い場合の少なくとも一方が満たされた場合、前記外部電源から前記二次電池への充電を行う構成としている。
【００１１】
この構成により、例えば外部電源接続時に充電を行わなかった場合であっても、一定期間後もしくは残電池量が不足してきた場合には充電を行うことができ、必要な電力を常に確保することが可能である。
【００１２】
また、本発明の第４の充電制御装置は、前記二次電池への充電を完了するための充電完了電圧を設定する充電完了電圧設定部を有し、前記充電制御部が、前記二次電池への充電を前記充電完了電圧になるまで行う構成としている。
【００１３】
この構成により、希望する充電完了電圧をユーザにより柔軟に設定することで常に満充電まで充電を行うことを防止することができ、電池寿命を延長することが可能である。
【００１４】
また、本発明の第５の充電制御装置は、前記充電制御部がいずれの制御を実施するかを示す制御モードを指定する制御モード指定部を有し、前記充電制御部が、前記制御モードに基づいて制御を行う構成としている。
【００１５】
この構成により、希望する制御モードをユーザにより柔軟に設定することで、様々な充電制御を行うことができ、ユーザの置かれた環境に合わせた快適な充電を行うことができる。
【００１６】
また、本発明の第１の携帯端末装置は、上記いずれかの充電制御装置を有する構成としている。
【００１７】
この構成により、定常的に二次電池への過充電を防止することができ、電池寿命を延ばすことのできる携帯端末装置を提供できる。
【００１８】
また、本発明の第１の充電制御方法は、二次電池への充電を制御する充電制御装置において、前記二次電池へ電力を供給する外部電源を検出する外部電源検出ステップと、前記二次電池の電圧を検出するステップと、前記外部電源検出ステップにおいて外部電源が検出され、かつ、前記二次電池の電圧が所定の充電判定電圧よりも高い場合、前記外部電源から前記二次電池への充電を禁止する制御するステップとを有する方法としている。
【００１９】
この方法により、定常的に二次電池への過充電を防止することができ、電池寿命を延ばすことができる。
【発明の効果】
【００２０】
本発明によれば、定常的に二次電池への過充電を防止することができ、電池寿命を延ばすことができる。
【発明を実施するための最良の形態】
【００２１】
以下、本発明の実施の形態について図面を参照して詳細に説明する。
【００２２】
図１は充電制御装置１００の構成を示すブロック図である。充電制御装置１００は、外部電源検出部１０１、二次電池電圧検出部１０２、充電制御部１０３、入力部１０４、ＬＥＤ１０５、および通信部１０６を有する。尚、携帯電話などの携帯端末装置に充電制御装置１００を搭載することも可能である。
【００２３】
また、入力部１０４は、「充電完了電圧設定部」および「制御モード指定部」としての機能を有する。また、ＬＥＤ１０５は「提示部」の一例である。
【００２４】
外部電源検出部１０１は、二次電池３００へ電力を供給する外部電源（例えば１００Ｖの商用交流電源など）２００によって印加されているか否かを検出する。外部電源２００の印加の検出は、例えば外部電源電圧を逐次検出することにより行う。二次電池電圧検出部１０２は、リチウムイオン二次電池などの二次電池３００のその時点における電圧を検出する。充電制御部１０３は、外部電源２００から二次電池３００への電力供給を行う際に各種制御を行うものであり、機能の詳細は後述する。入力部１０４は、充電を行うユーザが任意に各種設定を行うために各種情報を入力するものであり、例えばタッチパネルやキーボードなどである。入力部１０４は、二次電池３００への充電を完了するための充電完了電圧や、充電に関する制御モード（なるべく消費電力を小さくして充電制御装置１００を動作させる電池エコモード、二次電池スタミナモード等）の設定などの情報を入力する。ＬＥＤ１０５は、所定の条件を満たす場合に発光する発光体である。通信部１０６は、ＵＳＢなどの有線を介する有線信号を利用して他の通信機器との間で充電を行うための通信を行い、また、赤外線などの無線信号を利用して他の通信機器との間で充電を行うための通信を行う。
【００２５】
次に、充電制御部１０３が行う電圧値を用いた充電制御について説明する。
図２は充電制御部１０３が行う二次電池電圧に基づく充電制御方法を説明するための図である。尚、図２における「ＬＥＤ点灯」は実際に充電中であるか否かにかかわらずＬＥＤ１０５が点灯中であるか否かを示しており、「ＯＮ」はＬＥＤ１０５が点灯中、「ＯＦＦ」はＬＥＤ１０５が消灯中であることを示す。
【００２６】
外部電源検出部１０１が外部電源２００により外部電源電圧が印加されていることを検出すると、充電制御部１０３は、外部電源電圧が印加されたときに用いる所定の充電判定電圧（ＶＭ）よりも二次電池電圧が低い場合には、外部電源２００から二次電池３００へ充電を行う（時間ａ１を参照）。この充電は充電完了電圧（ＶＨ）となるまで（時間ａ２になるまで）行われる。また、充電が行われている期間は、充電を行っていることを認識することができるように、充電制御部１０３がＬＥＤ１０５を発光するように制御する。
【００２７】
尚、充電判定電圧とは、外部電源２００の印加を外部電源検出部１０１が新たに検出した場合に、二次電池３００への充電を行うか否かを判定するための閾値である。充電判定電圧よりも二次電池電圧が高ければ充電が行われず、二次電池電圧が低ければ充電が行われる。
【００２８】
二次電池３００の使用などにより再び二次電池電圧が所定の充電再起動電圧（ＶＬ）よりも低下した場合には、二次電池電圧が充電再起動電圧よりも低くなる時点で充電制御部１０３が再び充電を開始する（時間ａ３を参照）。この再充電は充電完了電圧となるまで（時間ａ４になるまで）行われる。
【００２９】
尚、充電再起動電圧とは、充電完了後においても外部電源２００の印加が継続して行われていることを外部電源検出部１０１が検出した場合に、二次電池３００への充電を行うか否かを判定するための閾値である。充電判定電圧よりも二次電池電圧が高ければ充電が行われず、二次電池電圧が低ければ充電が行われる。
【００３０】
外部電源の印加を一旦中断し（時間ａ５を参照）、その後外部電源２００による印加を外部電源検出部１０１が検出した場合であって、その時点における二次電池電圧の高さが充電判定電圧よりも高くかつ充電完了電圧よりも低い場合、つまり図２におけるＣ１内の矢印に挟まれた範囲に二次電池電圧がある場合には、充電制御部１０３は外部電源２００から二次電池３００への充電を行わないように制御する（時間ａ６を参照）。また、外部電源検出部１０１が外部電源２００の印加を検出した時間ａ６から時間ａ７までの所定時間（例えば１０秒間など）の期間は、充電制御部１０３がＬＥＤ１０５を発光するように制御する（図２のＣ２内参照）。尚、前述した充電中であることを示すＬＥＤ１０５の発光と、二次電池３００への充電は行わないが外部電源２００の印加を検出したことを示すＬＥＤ１０５との違いを認識させるため、例えばＬＥＤ１０５の発光色を変えることができる。さらにＬＥＤ１０５の発色に限られず、音声などでユーザに状態を知らせるようにすることもできる。
【００３１】
外部電源２００の印加を一旦中断し（時間ａ８を参照）、その後外部電源２００による印加を外部電源検出部１０１が検出した場合であって、その時点における二次電池電圧の高さが所定の充電再起動電圧よりも低い場合には、充電制御部１０３は外部電源２００から二次電池３００への充電を行う（時間ａ９を参照）。この充電は二次電池電圧が充電完了電圧となるまで（時間ａ１０となるまで）行われる。
【００３２】
このように、例えば外部電源２００が二次電池３００への充電を行うために充電用機器に装着された場合であっても、その時点における二次電池電圧が充電完了電圧よりも低く充電判定電圧よりも高い場合には、外部電源３００が印加されても充電をしない構成となっているため、外部電源２００が装着される度に毎回充電される場合と比して格段に過充電を防止することが可能である。
【００３３】
また、例えば外部電源２００が充電を行うために充電用機器に装着された場合、充電を行うか否かにかかわらずＬＥＤ１０５が点灯しユーザに対して外部電源２００が装着された旨を表示することが可能である。
【００３４】
次に、充電制御部１０３が行う図１に図示しないタイマーを用いた充電制御について説明する。図３は充電制御部１０３が行うタイマーに基づく充電制御方法を説明するための図である。タイマーを用いた充電制御においては、先に説明した閾値である充電判定電圧は考慮しておらず、充電再起動電圧が充電判定電圧としての役割も有している。尚、充電制御部１０３は時間管理を行うタイマー機能を有している。
【００３５】
また、図３における「ＬＥＤ点灯」は実際に充電中であるか否かにかかわらずＬＥＤ１０５が点灯中であるか否かを示しており、「ＯＮ」はＬＥＤ１０５が点灯中、「ＯＦＦ」はＬＥＤ１０５が消灯中であることを示す。また、「充電モード」は実際に充電中であるか否かを示しており、「ＯＮ」は充電中、「ＯＦＦ」は充電中ではないことを示す。
【００３６】
外部電源検出部１０１が外部電源２００により外部電源が印加されていることを検出すると、充電制御部１０３は、所定の充電再起動電圧よりも二次電池電圧が低い場合には、外部電源２００から二次電池３００へ充電を行う（時間ｂ１を参照）。この充電は充電完了電圧となるまで（時間ｂ２になるまで）行われる。また、充電が行われている期間は、充電を行っていることをユーザに認識させるため、充電制御部１０３がＬＥＤ１０５を発光するように制御する。
【００３７】
外部電源２００の印加を一旦中断し（時間ｂ３を参照）、その後外部電源２００による印加を外部電源検出部１０１が検出した場合であって、その時点における二次電池電圧の高さが充電再起動電圧よりも高くかつ充電完了電圧よりも低い場合には、充電制御部１０３は外部電源から二次電池への充電を行わないように制御する（時間ｂ４、Ｃ３を参照）。また、外部電源検出部１０１が外部電源２００の印加を検出した時間ｂ４から時間ｂ５までの所定時間（例えば１０秒間など）のＴ２期間は、外部電源２００の印加を検出したことをユーザに認識させるため、充電制御部１０３がＬＥＤ１０５を発光するように制御する。Ｔ２期間の経過は、充電制御部１０３が時間の計測を行うことにより監視している。尚、前述した充電中であることを示すＬＥＤ１０５の発光と、二次電池３００への充電は行わないが外部電源２００の印加を検出したことを示すＬＥＤ１０５との違いを認識させるため、例えばＬＥＤ１０５の発光色を変えることができる。
【００３８】
外部電源２００の印加を外部電源検出部１０１が検出した時間ｂ４を経過時間計測の開始時点として、充電制御部１０３が経過時間の計測を行う。充電制御部１０３が、外部電源の印加開始から所定のＴ１期間（例えば２４時間など）を経過したことを認識すると、その時点における二次電池電圧が充電再起動電圧より高い場合であっても充電を開始する（時間ｂ６、Ｃ４を参照）。ここでは、外部電源２００の印加開始時点が時間ｂ４から時間ｂ６までの期間がＴ１期間に相当する。この充電は二次電池電圧が充電完了電圧となるまで（時間ｂ７になるまで）充電を行われる。
【００３９】
尚、Ｔ１期間とは、二次電池への充電は行われないが外部電源２００の印加を検出した時点から、もしくは二次電池３００への充電完了時点から、二次電池電圧の高さにかかわらず次回の充電を開始するまでの所定期間である。尚、充電制御部１０３は、Ｔ１期間の経過時間の計測中に二次電池３００への充電が開始されると経過時間の計測をリセットする。
【００４０】
二次電池３００の使用などにより再び二次電池電圧が所定の充電再起動電圧よりも低下した場合には、外部電源２００の印加開始時点（時間ｂ７）からＴ１期間経過時点、つまり時間ｂ９となる以前であっても、充電制御部１０３は外部電源２００から二次電池３００への充電を行う（時間ｂ８、Ｃ５を参照）。この充電は二次電池電圧が充電完了電圧となるまで（時間ｂ１０になるまで）行われる。
【００４１】
二次電池２００への充電が完了した時間ｂ１０を経過時間計測の開始時点として、充電制御部１０３が経過時間の計測を行う。Ｔ１期間の終了時点である時間ｂ１１における二次電池電圧は充電再起動電圧よりも高いが、充電制御部１０３は外部電源２００から二次電池３００への充電を行う（Ｃ６を参照）。
【００４２】
このように、外部電源２００が印加されてから所定期間内であり、二次電池２００のその時点における電圧が充電再起動電圧以上である場合には、充電制御部１０３が充電を行わないように制御することが可能であり、定常的に過充電を防止することが可能である。また、外部電源２００が印加されてから一定時間以上充電されない状態が継続した場合には、二次電池２００のその時点における電圧にかかわらず充電制御部１０３が外部電源２００から二次電池３００へ充電を行うことが可能である。また、外部電源２００が印加されてから所定期間内であっても、二次電池２００のその時点における電圧が充電再起動電圧を下回っている場合には、充電制御部１０３が外部電源２００から二次電池３００へ充電を行うことが可能である。
【００４３】
次に、充電完了電圧のユーザによる設定について説明する。
充電完了電圧を変更する際の手順であるが、まず、充電を行うユーザの指示により入力部１０４が希望する充電完了電圧（希望電圧）を入力すると、充電制御部１０３が入力された希望電圧を認識する。充電制御部１０３は、その時点における充電完了電圧を認識した希望電圧へ変更する。
【００４４】
ここで、各充電完了電圧による時間電圧特性を図４（ａ）に示す。図４（ａ）において、曲線４０１の特性は、電池容量の１００％まで充電を行う（満充電を行う）充電完了電圧が充電完了電圧Ａの場合の特性であり、例えば充電完了電圧Ａは４．２Ｖである。また、曲線４０２の特性は、電池容量の９０％程度まで充電を行う充電完了電圧が充電完了電圧Ｂの場合の特性であり、例えば充電完了電圧Ｂは４．１Ｖである。曲線４０１と曲線４０２とにおいて、０Ｖから充電完了電圧までの充電時間の差はほとんど相違ない。
【００４５】
しかし、図４（ｂ）に示すように、充電回数に基づくサイクル数に対する電池容量の特性は、サイクル数が大きくなるほど、充電完了電圧Ａと設定した場合（曲線４０３に相当）に比して充電完了電圧Ｂと設定した場合（曲線４０４に相当）の電池容量の減少が少ない傾向にある。これは、充電完了電圧Ｂの場合においては充電時に満充電電圧よりも常に低い電圧状態で充電を終了するためである。図４（ｂ）は各充電完了電圧によるサイクル数容量特性である。充電完了電圧として充電完了電圧Ｂを選択することで、電池の寿命をさらに延長することができる。例えば充電完了電圧Ａを４．２Ｖ、充電完了電圧Ｂを４．１Ｖとすると、二次電池３００の寿命はおおよそ１．３倍となる。
【００４６】
このように、異なる充電完了電圧をユーザの希望通りに選択することが可能である。例えば、通常時には充電完了電圧Ｂを選択し、充電作業を一定期間行うことができない状況下では充電完了電圧Ａを選択するなど、状況に応じて柔軟に充電完了電圧を選択することができ、十分な電池容量を確保しつつ、二次電池３００の寿命を延ばすこともできる。尚、充電完了電圧は、充電完了電圧Ａおよび充電完了電圧Ｂの２種類に限られるものではなく、これ以上の種類があってもよい。
【００４７】
また、ユーザによる充電完了電圧の設定ではなく、様々な充電条件（例えば、図示しないＵＳＢによる充電、非接触充電などの外部の充電条件）に基づいて、充電完了電圧を設定することもできる。これは、例えばＵＳＢによって接続された充電源である外部電源２００や無線通信により通信接続可能な外部電源２００から送られる充電完了電圧の情報を含む充電信号を通信部１０６によって受信し、外部電源検出部１０１がこの充電信号を検出し、充電制御部１０３が、この充電信号に基づいて充電完了電圧を変更することで実現できる。
【００４８】
次に、ここまで説明してきた充電制御装置１００の各動作を、ユーザの指示による入力部１０４の入力に基づいて、充電制御装置１００がユーザの希望する制御モードで動作する場合について説明する。
【００４９】
例えば、図２に示したような電圧値を用いた充電制御を行うようにユーザの指示により入力部１０４が入力し、これに基づいて充電制御部１０３が電圧値を用いた充電制御を行うという制御モードに移行する。また、入力部１０４による入力がなければ充電制御部１０３がこの制御モードに移行しないようにすることができる。
【００５０】
また、例えば充電しない場合であっても外部電源印加時にＬＥＤ１０５を一定時間点灯させるようにユーザの指示により入力部１０４が入力し、これに基づいて充電制御部１０３が充電しない場合であっても外部電源印加時にＬＥＤ１０５を一定時間点灯させるという制御モードに移行する。また、入力部１０４による入力がなければ充電制御部１０３がこの制御モードに移行しないようにすることができる。
【００５１】
また、例えば、図３に示したようなタイマーを用いた充電制御を行うようにユーザの指示により入力部１０４が入力し、これに基づいて充電制御部１０３がタイマーを用いた充電制御を行うという制御モードに移行する。また、入力部１０４による入力がなければ充電制御部１０３がこの制御モードに移行しないようにすることができる。
【００５２】
また、例えば充電完了電圧をユーザによって設定するようにユーザの指示により入力部１０４が入力し、これに基づいて充電制御部１０３がユーザの指示による充電完了電圧の設定を行うという制御モードに移行する。また、入力部１０４による入力がなければ充電制御部１０３がこの制御モードに移行しないようにすることができる。
【００５３】
このように、ユーザの希望する制御モードを指定することで、希望する制御モードで
充電制御装置１００が動作することが可能である。特に、電圧値やタイマーを用いた充電制御、充電完了電圧の変更を可能とする制御モードを電池エコモードや電池スタミナモード等としてあらかじめ充電制御装置１００において登録しておくことにより、より効率的に過充電を防止することが可能となる。
【００５４】
次に、上記に説明した充電制御装置１００の動作についてまとめて説明する。
図５は充電制御装置１００の動作の一例を説明するための図である。図５においては、充電制御装置１００の一部の構成部位のみ記載されており、図５に示されていない構成部位が充電制御装置１００に含まれないことを示すものではない。また、図中の「充電制御」は充電制御部１０３の一部の動作を示すものであり、充電制御部１０３のすべての動作を示すものではない。また、充電制御部１０３は、ＯＲ回路５２０、５３０およびタイマー５４０、５５０を有する。
【００５５】
まず、外部電源検出部１０１が外部電源印加を検出する（ステップＳ５０１）と、二次電池電圧検出部１０２が二次電池電圧を検出する。外部電源検出部１０１が外部電源印加を検出しない場合（ステップＳ５０２）には、処理を終了する。
【００５６】
充電制御部１０３は、図２に示した電圧値を用いた充電制御を行う際には二次電池電圧が充電判定電圧以下であるか否か、また図３に示したタイマーを用いた充電制御を行う際には二次電池電圧が充電再起動電圧以下であるか否かを判定し、二次電池電圧が充電判定電圧以下もしくは充電再起動電圧以下である場合に充電を開始し、ＯＲ回路５２０へ第１の充電信号を送る（ステップＳ５０３）。
【００５７】
一方、図２に示した電圧値に基づく充電制御を行う場合であって二次電池電圧が充電判定電圧以上の場合には、処理が終了する（ステップＳ５０４）。また、図３に示したタイマーに基づく充電制御を行う場合であって二次電池電圧が充電再起動電圧以上の場合には、信号制御部１０３がＴ１期間の時間計測を開始するための信号をタイマー５４０へ送り（ステップＳ５０５）、タイマー５４０はＴ１期間の時間計測を開始し、また充電制御部１０３がＴ２期間の時間計測を開始するための信号をタイマー５５０へ送り（ステップＳ５０６）、タイマー５５０はＴ２期間の時間計測を開始する。タイマー５５０はＴ２期間の計測開始からＴ２期間の経過を検知するまでＯＲ回路５３０へ第１の発光信号を送る（ステップＳ５０７）。
【００５８】
タイマー５４０はＴ１期間の経過を検知すると、ＯＲ回路５２０へ第２の充電信号を送る（ステップＳ５０８）。ＯＲ回路５２０は、第１の充電信号または第２の充電信号のいずれかが入力されると充電の開始を指示する充電開始信号を送信する（ステップＳ５０９）。充電制御部１０３は充電開始信号に基づいて、充電ＦＥＴ５６０、抵抗５７０を介して外部電源２００から二次電池３００への充電を開始する。この充電は、充電開始信号の送信が終了されるまで継続される。
【００５９】
充電制御部１０３は、充電開始信号が検出される期間においては充電中であることをユーザへ知らせるための充電中表示信号（第２の発光信号）をＯＲ回路５３０へ送る（ステップＳ５１０）。ＯＲ回路５３０は、第１の発光信号または第２の発光信号のいずれかが入力されるとＬＥＤ１０５の発光の開始を指示するＬＥＤ発光信号を送信する（ステップＳ５１１）。充電制御部１０３はＬＥＤ発光信号に基づいて、ＬＥＤ１０５の発光を行う。この発光は、ＬＥＤ発光信号の送信がされるまで継続される。
【００６０】
また、ユーザ設定による充電完了電圧の選択においては、ユーザの指示により入力部１０４が希望する充電完了電圧（ここでは、充電完了電圧Ａもしくは充電完了電圧Ｂ）の入力を行い、入力部１０４が充電制御部１０３へ入力された充電完了電圧に関する希望電圧信号を送信する（ステップＳ５１２）。さらに、図示はしないが、様々な充電条件（ＵＳＢによる充電、非接触充電などの外部の充電条件）に基づいて、充電完了電圧を設定することも可能である。
【００６１】
このような充電制御装置１００によれば、二次電池３００へ電力を供給する外部電源２００を検出する外部電源検出部１０１と、二次電池３００の電圧を検出する二次電池電圧検出部１０２と、外部電源検出部１０１によって外部電源２００が検出され、かつ、外部電源２００が検出された場合に用いられる所定の充電判定電圧よりも二次電池３００の電圧が高い場合、外部電源２００から二次電池３００への充電を禁止する充電制御部１０３とを有する構成とすることで、定常的に二次電池への過充電を防止することができ、電池寿命を延ばすことができる。
【産業上の利用可能性】
【００６２】
本発明は、定常的に二次電池への過充電を防止することができる充電制御装置、携帯端末装置等に有用である。
【図面の簡単な説明】
【００６３】
【図１】本発明の実施形態における充電制御装置の構成を示すブロック図
【図２】本発明の実施形態における充電制御部が行う二次電池電圧に基づく充電制御方法を説明するための図
【図３】本発明の実施形態における充電制御部が行うタイマーに基づく充電制御方法を説明するための図
【図４】（ａ）本発明の実施形態における各充電完了電圧による時間電圧特性（ｂ）各充電完了電圧によるサイクル数容量特性
【図５】本発明の実施形態における充電制御装置の動作の一例を説明するための図
【図６】従来の充電システムの概要図
【符号の説明】
【００６４】
１００  充電制御装置
１０１  外部電源検出部
１０２  二次電池電圧検出部
１０３  充電制御部
１０４  入力部
１０５  ＬＥＤ
１０６  通信部
２００  外部電源
３００  二次電池
５２０、５３０  ＯＲ回路
５４０、５５０  タイマー
５６０  充電ＦＥＴ
５７０  抵抗
６０１  外部電源
６０２  充電ＦＥＴ
６０３  抵抗
６０４  二次電池
６０５  充電制御部
【図１】
2008167543.tif 000003
【図２】
2008167543.tif 000004
【図３】
2008167543.tif 000005
【図４】
2008167543.tif 000006
【図５】
2008167543.tif 000007
【図６】
2008167543.tif 000008